(57)【要約】【課題】気泡発生器から発生した気泡を調整して、より観賞用に適した気泡を液体中に発生させることが可能な気泡調整器を提供すること。【解決手段】液体中に気泡を発生させる気泡発生器２０から発生した気泡の大きさを調整するための気泡調整器１０であって、気泡発生器２０から発生した気泡ＭＢを溜める気泡溜め部１２を備え、気泡溜め部１２には孔１４が設けられ、気泡溜め部１２に溜まった気泡ＢＢが、孔１４から液体中に吐出するように構成されたことを特徴とする。【選択図】図３
2011143380.tif 000002
【特許請求の範囲】
【請求項１】
液体中に気泡を発生させる気泡発生器から発生した気泡の大きさを調整するための気泡調整器であって、
前記気泡発生器から発生した気泡を溜める気泡溜め部を備え、
前記気泡溜め部には孔が設けられ、
前記気泡溜め部に溜まった気泡が、前記孔から液体中に吐出するように構成されたことを特徴とする気泡調整器。
【請求項２】
請求項１において、
前記気泡溜め部を、上に凸のドーム形状とし、
前記気泡溜め部のドーム頂点からずれた位置に前記孔が設けられたことを特徴とする気泡調整器。
【請求項３】
請求項１又は２において、
複数の前記気泡溜め部を備え、
複数の前記気泡溜め部には、それぞれ異なる位置に前記孔が設けられたことを特徴とする気泡調整器。
【発明の詳細な説明】
【技術分野】
【０００１】
本発明は、気泡発生器から発生した気泡の大きさを調整するための気泡調整器に関する。
【背景技術】
【０００２】
従来から、映像表示装置の前面に薄型水槽を配置した薄型水槽付き映像表示装置が知られている（例えば、特許文献１）。この装置においては、薄型水槽の液体中に気泡を発生させ、この状態で映像表示面に表示された映像を薄型水槽を通して観察するようにしている。
【先行技術文献】
【特許文献】
【０００３】
【特許文献１】特開２００５−２５２５３０号公報
【発明の概要】
【発明が解決しようとする課題】
【０００４】
しかしながら、従来の薄型水槽付き映像表示装置の気泡発生器では、薄型水槽の液体中に発生する気泡が単調な気泡であり変化に乏しいといった問題点があった。
【０００５】
本発明は、以上のような課題に鑑みてなされたものであり、その目的とするところは、気泡発生器から発生した気泡を調整して、より観賞用に適した気泡を液体中に発生させることが可能な気泡調整器を提供することにある。
【課題を解決するための手段】
【０００６】
（１）本発明は、液体中に気泡を発生させる気泡発生器から発生した気泡の大きさを調整するための気泡調整器であって、
前記気泡発生器から発生した気泡を溜める気泡溜め部を備え、
前記気泡溜め部には孔が設けられ、
前記気泡溜め部に溜まった気泡が、前記孔から液体中に吐出するように構成されたことを特徴とする。
【０００７】
本発明によれば、気泡発生器から発生した気泡を気泡溜め部に溜めて、溜まった気泡を気泡発生部に設けられた孔から液体中に吐出させることで、気泡発生器から発生した気泡の大きさを調整して、より観賞用に適した気泡を液体中に発生させることができる。
【０００８】
（２）また本発明に係る気泡調整器では、
前記気泡溜め部を、上に凸のドーム形状とし、
前記気泡溜め部のドーム頂点からずれた位置に前記孔が設けられるようにしてもよい。
【０００９】
（３）また本発明に係る気泡調整器では、
複数の前記気泡溜め部を備え、
複数の前記気泡溜め部には、それぞれ異なる位置に前記孔が設けられるようにしてもよい。
【００１０】
本発明によれば、複数の気泡溜め部から、それぞれ異なる大きさの気泡を異なる発生周期で発生させることができ、より観賞用に適した気泡を液体中に発生させることができる。
【図面の簡単な説明】
【００１１】
【図１】本実施形態の気泡調整器を適用した薄型水槽付き映像表示装置の外観斜視図の一例を示す図。
【図２】気泡調整器の構成の一例を示す図。
【図３】気泡調整器の縦断面図を示す図。
【図４】空気吐出孔から発生させる気泡の調整について説明するための図。
【図５】変形例について説明するための図。
【図６】変形例について説明するための図。
【発明を実施するための形態】
【００１２】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１３】
１．薄型水槽付き映像表示装置の構成
図１は、本実施形態の気泡調整器を適用した薄型水槽付き映像表示装置の外観斜視図の一例を示す図である。
【００１４】
薄型水槽付き映像表示装置１は、映像表示装置２と、映像表示装置２の表示部２ａの前面に取り付けられ液体を貯蔵する薄型水槽３と、薄型水槽３の底部に配置され薄型水槽３の液体中に気泡を発生させる気泡発生器２０と、気泡発生器２０に接続される空気供給管４と、空気供給管４に空気を供給するエアーポンプ５とを備える。映像表示装置２は、水棲生物（海水魚や淡水魚、水棲植物など）の映像を生成し、生成した映像を表示部２ａ（ディスプレイ）に表示する。なお本実施形態では、気泡発生器２０として、微細な気泡を発生する多孔質のエアストーンを用いているが、気泡発生器２０として、長手方向に複数の小孔を開口した管を用いるようにしてもよい。
【００１５】
本実施形態の薄型水槽付き映像表示装置１は、気泡調整器１０を更に備える。気泡調整器１０は、薄型水槽３の底部に配置され、気泡発生器２０から発生した気泡の大きさを調整する。そして気泡調整器１０によって大きさが調整された気泡ＢＢが、薄型水槽３の液体中に発生する。
【００１６】
２．気泡調整器の構成
図２（Ａ）〜（Ｃ）に、気泡調整器１０の構成の一例を示す。なお図２（Ａ）〜（Ｃ）は、それぞれ、気泡発生器１０の上面図、正面図、側面図である。
【００１７】
気泡調整器１０は、その上面に複数（図２に示す例では２０個）の気泡溜め部１２を備える。気泡留め部１２は、上に凸のドーム形状をしており、その内部（中空部）に気泡発生器２０から発生した気泡を溜める。なお、気泡発生器２０は、気泡調整器１０の内部（気泡調整器１０の上面、側面及び底面により規定される内部空間）に配置される。
【００１８】
気泡溜め部１２には、そのドーム形状の壁面に１つの空気吐出孔１４（孔）が設けられている。そして、気泡溜め部１２の内部に溜まった気泡（空気）は、空気吐出孔１４から薄型水槽３の液体中に吐出される。ここで、空気吐出孔１４は、気泡溜め部１２のドーム頂点からずれた位置に設けられている。従って、気泡発生器２０から発生した気泡は、そのまま空気吐出孔１４から吐出されずに、一旦気泡溜め部１２の内部に溜められる。なお、図２（Ａ）〜（Ｃ）に示す例では、空気吐出孔１４は、ドーム頂点から気泡調整器１０の長手方向と垂直な方向にずれた位置に設けられている。
【００１９】
図３（Ａ）〜（Ｃ）に、気泡調整器１０の縦断面図を示す。図３（Ａ）に示すように、気泡発生器２０から発生した微細気泡ＭＢは、上方に位置する気泡溜め部１２のドーム頂点付近に溜められてより大きな気泡ＢＢを形成する。そして、気泡溜め部１２に溜まった気泡ＢＢが、空気吐出孔１４に達するまで大きくなると、溜まった気泡ＢＢは空気吐出孔１４から一度に吐出され（図３（Ｂ）参照）、以後これを繰り返す。
【００２０】
従って、本実施形態の気泡調整器１０によれば、比較的大きな気泡を間隔をおいて繰り返し発生させることができ、気泡発生器２０から発生する単調な微細気泡を調整して、より見栄えがよく、観賞用に適した気泡を液体中に発生させることができる。
【００２１】
なお、本実施形態の気泡調整器１０では、気泡溜め部１２に設ける空気吐出孔１４の位置によって、空気吐出孔１４から発生させる気泡の大きさと発生周期を変化させることができる。
【００２２】
例えば、図３（Ｃ）に示す気泡溜め部１２では、図３（Ａ）、（Ｂ）に示す気泡溜め部１２と比較して、空気吐出孔１４がよりドーム頂点に近い位置に設けられている。従って、図３（Ｃ）に示す場合では、図３（Ａ）、（Ｂ）に示す場合に比べて、気泡溜め部１２に溜まる気泡ＢＢが小さくなるため、空気吐出孔１４から発生する（吐出する）気泡ＢＢが小さく、また空気吐出孔１４から発生する気泡ＢＢの発生周期が短くなる。すなわち、気泡溜め部１２に設けた空気吐出孔１４の位置がドーム頂点に近いほど、発生する気泡が小さく且つ気泡の発生周期が短くなり、気泡溜め部１２に設けた空気吐出孔１４の位置がドーム頂点から遠いほど、発生する気泡が大きく且つ気泡の発生周期が長くなる。
【００２３】
本実施形態の気泡調整器１０では、複数の気泡溜め部１２のうち、少なくとも１つの気泡溜め部１２において、他の気泡溜め部１２とは異なる位置に空気吐出孔１４を設けている。このようにすると、複数の気泡溜め部１２から、異なる大きさの気泡を異なる発生周期で発生させることができ、変化に富み観賞用に適した気泡を液体中に発生させることができる。
【００２４】
また、気泡調整器１０又は気泡溜め部１２を回転させる（或いは傾ける）ことで、空気吐出孔１４の位置を変化させ、これにより、空気吐出孔１４から発生させる気泡の大きさと発生周期を可変とするようにしてもよい。
【００２５】
例えば、図４（Ａ）、（Ｂ）に示す例では、気泡調整器１０全体を気泡調整器１０の長手方向に沿った軸回りに回転させることで、空気吐出孔１４から発生させる気泡の大きさと発生周期を変化させている。すなわち、図４（Ｂ）に示す回転後の状態では、図４（Ａ）に示す回転前の状態よりも、空気吐出孔１４が上方向に移動する。従って、図４（Ｂ）に示す回転後の状態では、図４（Ａ）に示す回転前の状態に比べて、気泡溜め部１２に溜まる気泡ＢＢが小さくなるため、空気吐出孔１４から発生する（吐出する）気泡ＢＢが小さく、また空気吐出孔１４から発生する気泡ＢＢの発生周期が短くなる。
【００２６】
なお、気泡調整器１０全体を回転させることに代えて、気泡溜め部１２を他の部分から独立して構成し、気泡溜め部１２のみを回転させるようにしてもよい。また、気泡調整器１０又は気泡溜め部１２を、手動で回転させるように構成してもよいし、モータ等の駆動機構を用いて回転させるように構成してもよい。
【００２７】
このように気泡調整器１０や気泡溜め部１２を回転可能に構成することで、鑑賞者が任意に、或いは映像表示装置１に表示させる映像に合わせて、空気吐出孔１４から発生させる気泡の大きさと発生周期を変化させることができる。
【００２８】
３．変形例
なお本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【００２９】
例えば、本実施形態では、気泡溜め部１２を上に凸のドーム形状とした場合について説明したが、上に凸の形状であり、底部が開口し中空部を有する形状であればどのようなものでもよい。例えば、図５（Ａ）の断面図に示すように、気泡溜め部１２を上に凸の円錐或いは角錐形状として、円錐或いは角錐形状の側面に空気吐出孔１４を設けるようにしてもよいし、図５（Ｂ）の断面図に示すように、気泡溜め部１２を上に凸の円柱或いは角柱形状として、円柱或いは角柱形状の側面に空気吐出孔１４を設けるようにしてもよい。
【００３０】
また、本実施形態では、複数の気泡溜め部１２を一列に並べて気泡調整器１０を構成する場合について説明したが、図６の上面図に示すように、複数の気泡溜め部１２を平面状に並べて気泡調整器１０を構成するようにしてもよい。
【００３１】
また、本実施形態では、１つの気泡溜め部１２に１つの空気吐出孔１４を設ける場合について説明したが、１つの気泡溜め部１２において、同一の高さに複数の空気吐出孔１４を設けるようにしてもよい。
【符号の説明】
【００３２】
１  薄型水槽付き映像表示装置、２  映像表示装置、３  薄型水槽、４  空気供給管、５  エアーポンプ、１０  気泡調整器、１２  気泡溜め部、１４  空気吐出孔、２０  気泡発生器
【図１】
2011143380.tif 000003
【図２】
2011143380.tif 000004
【図３】
2011143380.tif 000005
【図４】
2011143380.tif 000006
【図５】
2011143380.tif 000007
【図６】
2011143380.tif 000008